(57)【要約】      （修正有）【課題】向かい合って食事するときのウイルス感染予防に適した物品を提供する。【解決手段】透明板体による長方形状の主板１を設け、該主板の両側に主板と同材質による側板２、３を、主板に対し折りたたみ可能に設けるとともに、該側板の上下に傾斜部４を形成した。【選択図】図２
0003233215.tif 000002
【実用新案登録請求の範囲】
【請求項１】
透明板体による長方形状の主板を設け、該主板の両側に主板と同材質による側板を、主板に対し折りたたみ可能に設けるとともに、該側板の上下に傾斜部を形成したことを特徴とする、ウイルス等感染防止用卓上載置型透明遮蔽体。
【請求項２】
傾斜部を側板の下部にのみ設けてなる請求項１記載の、ウイルス等感染防止用卓上載置型透明遮蔽体。
【請求項３】
請求項１における折りたたみ可能手段を、透明粘着テープによるものとした請求１記載のウイルス等感染防止用卓上載置型透明遮蔽体。
【請求項４】
請求項１における折りたたみ可能手段を、主板と両側板を一体形成にて形成するとともに、主板と側板との区分け箇所に、主板の上端から下端に至る線状凹部（リビングヒンジ）を設けるものとした請求項１記載のウイルス等感染防止用卓上載置型透明遮蔽体。
【考案の詳細な説明】
【技術分野】
【０００１】  この考案は、飲食時などにテーブル上に載置して、ウイルス飛散を緩和防止するための用具に関する。
【背景技術】
【０００２】  従来より、テーブルや机などを介して互いの顔をやや接近させて会話をするときに、互いの口や鼻から出る息が相手に直接かかることを防止するために、双方の間に透明合成樹脂でできたついたて板を置くことが多用されているが、本案にて示すように、折り畳み可能であるとともに、現在、パーティションはすべて透明体を支える何かしらの部分（台座）を必要とするが、この考案は載置面に対して斜方に位置させて用いるもので、また、上下表裏同一であるがために簡単にセッティングできる特徴を有し、このようなものは見当たらない。
【考案の概要】
【考案が解決しようとする課題】
【０００３】  近年、コロナウイルスが猛威を振るっており、テレビなどで日々の各地の感染者数が報告されている。この感染原因の大きな要素の一つとして、マスクなしでの接近会話が問題となっており、とりわけ、向かい合っての飲食時が危険とされている。
普段はマスクを着用していても、飲食時にはマスクが邪魔となって、ノーマスク状態が生じやすく、アルコール摂取ともなれば普段の警戒心が薄れてくるために、このウイルス感染の危険度は増大する。このようなちょっとした気の緩みが問題であるが、仲のよい者同士ではさらに警戒心が緩んで飲食時における上記のような危険を防止する手軽で適当な手段が見当たらないのが現状である。本案は以上に鑑み、上記問題を解決する有用な手段を提供することを目的として考案されたものである。
【課題を解決するための手段】
【０００４】  課題を解決する手段として本案は以下の構成とした。すなわち、
透明板体による長方形状の主板を設け、該主板の両側に主板と同材質による側板を、主板に対し折りたたみ可能に設けるとともに、該側板の上下に傾斜部を形成する。
本考案は以上の構成によるウイルス等感染防止用卓上載置型透明遮蔽体である。
【考案の効果】
【０００５】  本案は下記の効果を有する。
１．主板に対し側板は折り畳み可能なので、不使用時や保管時には省スペースである。
２．卓上に載置したときに、主板は卓上平面に対して使用者側に倒れ込んだ角度となるの  で、ウイルス等の飛散を緩和防止することができる。
３．主板と側板とで使用者顔面を取り囲む状態での使用となり、使用者顔面左右に対する  ウイルス飛散減少効果を得ることができる。
４．薄合成樹脂板１枚にて形成し、側板の傾斜部で支えるため、軽く扱いやすく、またそ  の製作コストも少なくすることができる。
５．上下表裏が同一のため、セッティングが容易である。
【図面の簡単な説明】
【０００６】
【図１】本考案の平面図
【図２】本考案の正面図
【図３】本考案の平面図（使用時・略示表現）
【図４】本考案の使用説明図（平面視・略示表現）
【図５】本考案の使用説明図（側面視）
【図６】本考案の要部説明図
【図７】本考案の要部説明図
【考案を実施するための形態】
【０００７】  以下、本考案の実施形態について説明する。
図において、１は透明薄合成樹脂板による主板で、長方形状である。
２は主板と同材質近似形状の右側板、３は右側板と同様の左側板である。
これらの両側板はその上下に、主板近傍から端部に向かって下方傾斜となる傾斜部４を有し、主板と側板は図のごとく透明粘着テープ５またはリビングヒンジ（線状凹部）１０にて主板側方に折り曲げ自在に取り付けられる。なお、リビングヒンジは、樹脂パーツを破損せずに折り曲げられる線状凹部を含んだ薄いバンド形状部分のことである。
以上が本考案の一実施形態である。
【０００８】  次ぎに、本案の使用について説明する。
本案の使用に際しては、テーブルに向かって着席した使用者の顔面位置より適度の距離を持って図４のごとく本案品をセットする。主板と顔面との間のテーブル上には料理皿や飲料容器が置かれる。この状態を保ちつつ飲食をするが、使用者の吐く息は主板および側板にて遮られて、ノーマスクでも他の飲食者の顔に息が直接にかからない状態となり、ウイルス飛散は防止される。本案は側板の上下に傾斜部を設けているので、上記セット時は主板は顔面側に倒れ込む状態となる。例えば、８５度の鋭角とすれば、使用者から出た息は直進して主板に当たるが、上記角度のために下向きの流れとなり、主板上方を越えて進むことは防止される。
【０００９】  上記角度は流体力学的に、壁を支える構造体となるために筋交の役割をして飛沫を下向きの流れとすることとなる。また、側板方向へ向かう流れは側板の平面視角度にて主板方向へと戻されるので、飲食者の側方方向への飛沫も制限することとなる。
一般的なパーティション（仕切り）は、その載置位置の安定のために底板を必要とするが、本案はあたかも屏風のように開く方式のために、この底板は不要となり、また、そのために折り畳みが可能で、収納や保管に便利なものとなっている。
また、側板の傾斜部角度は上下同一および表裏同一なので、セッティングが楽であるという特徴を有する。本案品は各自１個を用いるもので、飲食者同士が向かい合って飲食するときは、各自に対して既述の効果が発揮される。なお、側板の上下に傾斜部（筋交の役割）を設けてあるため、側板を開く角度は１４０度以内が適当であり、また狭すぎるとウイルス等飛散防止範囲が狭くなる。
【００１０】  初例においては、主板と側板とを透明粘着テープを用いて接続しており、折り曲げしろのために、主板側部と側板側部をわずかの距離を有して接続している。
図７は、本案の別例を示すもので、上記テープに代えて線状凹部１０を用いた例である。つまり、主板と側板とを一体形成し、主板と側板との境の位置にて、主板上端から下端に至る線状凹部（リビングヒンジ）を設けたもので、この線状凹部の位置を境として側板を折り曲げることができる。その他の構成は初例同様であって、機能上は初例同様である。
【００１１】  本案を実施する場合において、使用者の体型やサイズを考慮しなければならない。
そのための、参考データを以下に紹介する。
Ａ．日本人男性の２０才から７９才までの平均肩幅は４２．３〜４４．９ｃｍ（経済産業    省）
Ｂ．日本人の２０才から７９才までの顔幅の標準は男性１６．２ｃｍ、女性１５．４ｃｍ
Ｃ．日本人の２０才から７９才までの顔の長さは男性２３．２ｃｍ、女性２１．８ｃｍ
（ＢとＣは産業技術総合研究所の実施した日本人の頭部寸法データベースによる）
Ｄ．人の首の回旋角度は６０度程度
（日本整形外科学会と日本リハビリテーション医学会が発表している首の回旋角度の目    安は左右６０度である）
Ｅ．平成３０年国民健康・栄養調査によると、日本人男性の２０才以上の平均身長は１６    ８．０±７．１ｃｍ、女性は１５４．５±７ｃｍである。
Ｆ．文部科学省、体力調査データによる日本人の座高平均値は、男性９０．２９ｃｍ、女    性８３．６５ｃｍである。
以上から、ダイニングテーブルの好適な高さは、７００〜７２０ｍｍで、イスは４１０〜４２０ｍｍ、ローテーブルは３００〜４００ｍｍが標準である。
【００１２】  以上、本案について説明したが、本案はノーマスクで向かい合って会話しても吐息が直接相手にかかることを防止できるところにその特徴を有するものである。
従来はノーマスクで相対するときに、ウイルス感染の危険があり、飲食時にはマスクを外したりかけたりする必要があって煩わしいものであったが、本案にてこれがほぼ解消できるものとなったのである。また、本案は左右対称であるとともに裏表を区別する必要がなく、材質としてはアクリル樹脂板その他の透明板体が使用できる。また、既述の傾斜部は、側板の上端もしくは下端のいずれかに設けてもよい。
本案実施の際に、サイズは適宜に設定可能であり、例えば、Ｓ、Ｍ、Ｌなどの各サイズを用意しておけば、体格の差、子供向けなど適宜に選択して利用することができる。
以上のごとく、本案にてウイルス等感染防止に役立つ有用なる物品を得ることができる。
【符号の説明】
【００１３】  １  主板
２  右側板
３  左側板
４  傾斜部
５  透明粘着テープ
１０  線状凹部（リビングヒンジ）
【図１】
0003233215.tif 000003
【図２】
0003233215.tif 000004
【図３】
0003233215.tif 000005
【図４】
0003233215.tif 000006
【図５】
0003233215.tif 000007
【図６】
0003233215.tif 000008
【図７】
0003233215.tif 000009